(57)【特許請求の範囲】
【請求項１】
容器内に収容された内容物を、容器内に配設された移動体が軸線方向に前進することで押し出し、容器先端の開口部から出現させる内容物押出容器において、
容器前部及び当該容器前部に相対回転可能とされた容器後部と、
前記容器後部と同期回転可能且つ軸線方向移動可能に係合すると共に、前記移動体と同期回転可能且つ軸線方向移動可能に係合する回り止め部材と、
前記容器前部と前記容器後部とが相対回転されると、前記回り止め部材と同期回転する前記移動体を前記容器前部に対して前記軸線方向に移動させる第一、第二の螺合部と、を具備し、
前記移動体は、その外面に前記第一の螺合部の一方を構成する雄螺子を有し、
前記容器前部は、その内面に前記第二の螺合部の一方を構成する雌螺子を有し、
前記容器には、前記移動体外面の雄螺子に螺合し前記第一の螺合部の他方を構成する雌螺子をその内面に有すると共に、前記容器前部内面の雌螺子に螺合し前記第二の螺合部の他方を構成する雄螺子をその外面に有する中間部材が内蔵されていることを特徴とする内容物押出容器。
【請求項２】
前記容器前部は、前側の容器前部と後側の容器前部で構成され、
前記前側の容器前部は、その先端に前記開口部を有し、内部に前記内容物を収容する収容部材とされ、
前記後側の容器前部及び前記容器後部の内部に、前記移動体、前記第一、第二の螺合部、前記回り止め部材を収容して本体側組立品が構成され、
前記内容物を収容した前記収容部材が、前記本体側組立品の先端側に挿入されて当該本体側組立品に装着されていることを特徴とする請求項１記載の内容物押出容器。
【請求項３】
前記移動体の後端部には、前記中間部材及び前記回り止め部材の少なくとも一方に対する前記軸線方向の抜け止めである係止部材が装着されていることを特徴とする請求項１又は２記載の内容物押出容器。
【請求項４】
前記回り止め部材は、前記容器後部と同期回転可能且つ軸線方向移動可能に係合する後部大径部と、
この後部大径部に立設されて非円形の外形を有する小径軸体部と、を具備し、
前記移動体の内面は、前記小径軸体部の非円形の外形に同期回転可能且つ軸線方向移動可能に係合する形状とされていることを特徴とする請求項１〜３の何れか一項に記載の内容物押出容器。
【請求項５】
前記容器内に、前記容器前部と前記容器後部との相対回転に従いクリック係合するクリック係合部を有することを特徴とする請求項１〜４の何れか一項に記載の内容物押出容器。
【請求項６】
前記クリック係合部は、前記移動体を繰り戻す方向の前記容器前部と前記容器後部との相対回転を規制し、前記移動体を繰り出す方向の前記容器前部と前記容器後部との相対回転のみを許容するラチェット機構を構成することを特徴とする請求項５記載の内容物押出容器。
【発明の詳細な説明】
【技術分野】
【０００１】
本発明は、内容物を押し出して使用するための内容物押出容器に関する。
【背景技術】
【０００２】
従来、容器に内蔵された例えば液状充填物を始めとした充填物を押し出して使用するための充填物押出容器（移動体繰出装置）として、充填物が充填される充填領域を内部に備える本体筒と、この本体筒の後端部に相対回転可能に設けられる操作筒と、本体筒及び操作筒内に収容され当該操作筒に対して同期回転可能且つ軸線方向移動可能に設けられた移動体と、本体筒側の螺子と移動体側の螺子により構成された螺合部と、操作筒側の回り止めと移動体側の回り止めにより構成された回り止め部と、を具備し、本体筒と操作筒が相対回転されると、螺合部の螺合作用が働き回り止め部との協働によって移動体が前進し、この移動体の先端に設けられているピストンが前進することで充填物が先端側に押し出され、本体筒の先端の開口を通して吐出される充填物を塗布部（塗布体）を介して被塗布部に塗布することが可能な充填物押出容器が知られている（例えば、特許文献１参照）。
【特許文献１】特開２００４−８９６８７号公報
【発明の開示】
【発明が解決しようとする課題】
【０００３】
しかしながら、上記容器にあっては、充填物の使用量を増やすことが望まれている。
【０００４】
本発明は、このような課題を解決するために成されたものであり、充填物を始めとした内容物の使用量を増やすことが可能な内容物押出容器を提供することを目的とする。
【課題を解決するための手段】
【０００５】
本発明による内容物押出容器は、容器内に収容された内容物を、容器内に配設された移動体が軸線方向に前進することで押し出し、容器先端の開口部から出現させる内容物押出容器において、容器前部及び当該容器前部に相対回転可能とされた容器後部と、容器後部と同期回転可能且つ軸線方向移動可能に係合すると共に、移動体と同期回転可能且つ軸線方向移動可能に係合する回り止め部材と、容器前部と容器後部とが相対回転されると、回り止め部材と同期回転する移動体を容器前部に対して軸線方向に移動させる第一、第二の螺合部と、を具備し、移動体は、その外面に第一の螺合部の一方を構成する雄螺子を有し、容器前部は、その内面に第二の螺合部の一方を構成する雌螺子を有し、容器には、移動体外面の雄螺子に螺合し第一の螺合部の他方を構成する雌螺子をその内面に有すると共に、容器前部内面の雌螺子に螺合し第二の螺合部の他方を構成する雄螺子をその外面に有する中間部材が内蔵されていることを特徴としている。
【０００６】
このような内容物押出容器によれば、容器前部と当該容器前部に相対回転可能とされた容器後部とが相対回転されると、第一、第二の螺合部の螺合作用が働き、容器後部及び移動体と同期回転可能に係合し当該移動体と軸線方向移動可能に係合する移動体の回り止めである回り止め部材との協働により、移動体が容器前部に対して軸線方向に移動する。この回り止め部材は、容器後部とも軸線方向移動可能に係合することから、移動体の軸線方向の移動に従い軸線方向に移動可能とされる。このため、移動体の移動距離を、移動体の回り止めが軸線方向に移動しない場合に比して延ばすことが可能とされ、内容物の使用量を増やすことが可能とされる（移動体の回り止めが軸線方向に移動しない構成で容器全長が同じものと比すと内容物の収容容量が大きくされる）。
【０００７】
ここで、容器前部は、前側の容器前部と後側の容器前部で構成され、前側の容器前部は、その先端に開口部を有し、内部に内容物を収容する収容部材とされ、後側の容器前部及び容器後部の内部に、移動体、第一、第二の螺合部、回り止め部材を収容して本体側組立品が構成され、内容物を収容した収容部材が、本体側組立品の先端側に挿入されて当該本体側組立品に装着される構成とすると、内容物を収容部材の開口部の内側と本体側組立品の移動体との間の領域に十分に満たすことが可能とされ、使用者による初回の移動体を繰り出す方向の容器前部と容器後部との相対回転時に、内容物が迅速に出現するようになると共に、回り止め部材が本体側組立品に収容されていることから、収容部材及び移動体を回り止めとして非円形とする必要が無く円形とすることで、収容部材と本体側組立品とを連結する際の回転方向の位置合わせが不要とされ、製造が容易とされる。
【０００９】
また、移動体の後端部には、中間部材及び回り止め部材の少なくとも一方に対する軸線方向の抜け止めである係止部材が装着されていると、この係止部材により、中間部材及び回り止め部材の少なくとも一方から移動体が軸線方向に離脱することが防止され、移動体の前進が支障無く行われる。
【００１０】
ここで、上記作用を好適に奏する回り止め部材及び移動体の構成としては、具体的には、回り止め部材は、容器後部と同期回転可能且つ軸線方向移動可能に係合する後部大径部と、この後部大径部に立設されて非円形の外形を有する小径軸体部と、を具備し、移動体の内面は、小径軸体部の非円形の外形に同期回転可能且つ軸線方向移動可能に係合する形状とされている構成が挙げられる。
【００１１】
また、容器内に、容器前部と容器後部との相対回転に従いクリック係合するクリック係合部を有していると、相対回転の度合いや移動体の移動具合が使用者に感知されるようになる。
【００１２】
ここで、クリック係合部は、移動体を繰り戻す方向の容器前部と容器後部との相対回転を規制し、移動体を繰り出す方向の容器前部と容器後部との相対回転のみを許容するラチェット機構であっても良い。
【発明の効果】
【００１３】
このように本発明による内容物押出容器によれば、内容物の使用量を増やすことが可能となる。
【発明を実施するための最良の形態】
【００１４】
以下、本発明による内容物押出容器の好適な実施形態について図１〜図３７を参照しながら説明する。なお、各図において、同一の要素には同一符号を付し、重複する説明は省略する。
【００１５】
図１〜図１２は、本発明の実施形態に係る内容物押出容器の各状態を示す各縦断面図、図１３は、本体筒を示す縦断斜視図、図１４〜図１６は、操作筒を示す各図、図１７〜図１９は、螺子筒を示す各図、図２０〜図２２は、回り止め部材を示す各図、図２３〜図２５は、移動体を示す各図、図２６及び図２７は、係止部材を示す各図、図２８は、中間部材、移動体及び係止部材の一部破断分解斜視図、図２９は、ピストンを示す縦断面図、図３０は、弾性体を示す縦断面図、図３１は、ピストンに弾性体を装着した縦断面図、図３２及び図３３は、中間部材を示す各図、図３４〜図３６は、収容部材を示す各図、図３７は、内容物押出容器の組立手順を表す説明図であり、本実施形態の内容物押出容器は、内容物を収容すると共に適宜使用者の操作により押し出し可能とするものである。
【００１６】
ここでは、内容物として、例えば、リップグロス、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等が用いられ、当該内容物は、後述の収容部材の内部に充填されている。
【００１７】
図１に示すように、内容物押出容器１００は、内容物Ｌが収容される収容領域１ｘを内部に備えた先筒である収容部材１と、その前半部に収容部材１の後半部を内挿して当該収容部材１を同期回転可能且つ軸線方向離脱不能に連結する本体筒（本体）２と、この本体筒２の後端部に相対回転可能且つ軸線方向離脱不能に連結された操作筒（操作体）３と、を外形構成として具備し、収容部材１、本体筒２により容器前部が構成されると共に、操作筒３により容器後部が構成されている。
【００１８】
そして、この内容物押出容器１００は、内部に、容器前部である本体筒２に同期回転可能且つ軸線方向移動不能に連結された螺子筒４と、先端部にピストン７を介して弾性体１２を有し軸線方向に延在する移動体６と、移動体６と螺子筒４との間に配置され軸線方向に延在する中間部材１３と、移動体６の外面と中間部材１３との内面に設けられた螺合部であって、容器前部（本体筒２；収容部材１でも可）と容器後部（操作筒３）とが一方向／一方向の反対方向である他方向に相対回転されて螺合作用が働くと移動体６を前進／後退させる第一の螺合部８と、螺子筒４の内面と中間部材１３の外面とに設けられた螺合部であって、容器前部と容器後部とが一方向／一方向の反対方向である他方向に相対回転されて螺合作用が働くと中間部材１３を前進／後退させる第二の螺合部９と、容器後部と同期回転可能且つ軸線方向移動可能に係合すると共に、移動体６と同期回転可能且つ軸線方向移動可能に係合し、容器前部と容器後部とが一方向／一方向の反対方向である他方向に相対回転されると上記螺合部の螺合作用と協働する移動体６の回り止めとして機能し、移動体６の前進／後退に従い前進／後退する回り止め部材５と、を概略備えている。
【００１９】
本体筒２は、容器前部の後側を構成するものであって、図１３に示すように、円筒状に構成され、その軸線方向中央部の内周面に、周方向に多数の凹凸部が並設されて当該凹凸部が軸線方向に所定長延びるローレット２ａを有している。このローレット２ａは、その前半部が、容器前部の前側を構成する収容部材１を回転方向に係合するためのもので、その後半部が螺子筒４を回転方向に係合するためのものであり、このローレット２ａの凸部は、前半部に比して後半部の方が突出高さが多少高くされている（軸心側に多少多く突出している）。
【００２０】
また、本体筒２の先端部の内周面には、収容部材１を軸線方向に係合するための環状凸凹部（凸凹部が軸線方向に並ぶもの）２ｂが設けられている。また、本体筒２の後部側の内周面でローレット２ａの後ろには、当該ローレット２ａの後面に当接するようにして半円弧状突部２ｃが形成されている。この半円弧状突部２ｃは、螺子筒４を軸線方向に係合するためのものであり、ローレット２ａの凸部より突出高さが多少高くされている（軸心側に多少多く突出している）。さらに、本体筒２の後部側の内周面で半円弧状突部２ｃより後側には、操作筒３を軸線方向に係合するための半円弧状突部２ｄが設けられている。これらの半円弧状突部２ｃ，２ｄは、軸線方向に重ならないように設けられている。
【００２１】
操作筒３は、図１４〜図１６に示すように、有底段付き円筒状に構成され前半部に段差面３ａを介して連続する後半部の外径が大径とされている。この操作筒３の前半部の外周面には、環状凸凹部３ｂが、本体筒２の半円弧状突部２ｄに軸線方向に係合するものとして設けられている。また、操作筒３の内周面には、図１４及び図１６に示すように、周方向に多数の凹凸部が並設されて当該凹凸部が軸線方向に延びるローレット３ｃが設けられている。このローレット３ｃは、回り止め部材５を回転方向に係合するためのものである。また、操作筒３の先端面には、クリック係合部３４を構成する一方のクリック係合部３ｄが設けられている。このクリック係合部３ｄは、周方向に沿って、同一勾配の登り傾斜面と下り傾斜面を有する山形部３ｅが所定の間隔を持って連続する構成とされている。
【００２２】
この操作筒３は、図２に示すように、その先端側から本体筒２の後端側に内挿され、その段差面３ａが本体筒２の後端面に突き当てられ、その環状凸凹部３ｂの凹部に本体筒２の半円弧状突部２ｄが進入して軸線方向に係合することで、本体筒２に相対回転可能且つ軸線方向離脱不能に装着されている。
【００２３】
螺子筒４は、樹脂による射出成形品とされ、図１７〜図１９に示すように、略円筒状に構成されている。この螺子筒４の前半部の外周面には、軸線方向に所定長延びる突条４ａが、本体筒２のローレット２ａの後半部に回転方向に係合するものとして設けられている。ここでは、突条４ａは、型成形の容易性等を考慮して、図１８に示すように、軸線を挟み対向して三対が設けられ、この三対の突条と三対の突条同士の間に軸線を挟み対向して一対が設けられている。また、螺子筒４の外周面で突条４ａの後ろには、図１７及び図１９に示すように、環状溝部４ｂが、本体筒２の半円弧状突部２ｃに軸線方向に係合するものとして設けられている。また、螺子筒４の先端部の内周面には、第二の螺合部（螺合機構）９の一方を構成する雌螺子４ｃが設けられている。
【００２４】
螺子筒４の後端部には、クリック係合部３４を構成する他方のクリック係合部４ｄが設けられている。このクリック係合部４ｄは、後方に突出する突部４ｅと、この突部４ｅを後方に付勢するバネ部４ｆと、を備えて成る。突部４ｅは、半球状を成し、図１８に示すように、螺子筒４の後端面で軸線を挟み対向する位置に一対が設けられている。バネ部４ｆは、図１７〜図１９に示すように、突部４ｅを片持ちで支持する支持部であり、螺子筒４の内外を連通し後方に開放されるスリット４ｇを設けることで形成されている。具体的には、スリット４ｇの開放端は、螺子筒４の後端面で突部４ｅの周方向に沿う近傍位置且つ軸線を挟み対向する位置に各々が設けられ、当該スリット４ｇは、螺子筒４の後端面から軸線方向前側に向かって短尺に延びさらに突部４ｅの後側を通り所定長周方向に延びて略Ｌ字状を成すように設けられている。そして、このスリット４ｇを設けることで形成される半島状のバネ部４ｆは、成形材である樹脂の可撓性に従って突部４ｅを後方へ付勢する板バネの役割を果たす。
【００２５】
この螺子筒４は、図２に示すように、その後端側から本体筒２の先端側に内挿されて、その突条４ａが、本体筒２のローレット２ａの後半部に回転方向に係合すると共に、その環状溝部４ｂが、本体筒２の半円弧状突部２ｃに軸線方向に係合することで、本体筒２に同期回転可能且つ軸線方向移動不能に装着されている。すなわち、本体筒２と螺子筒４とは一体化されている。そして、螺子筒４のクリック係合部４ｄを構成する突部４ｅは、操作筒３のクリック係合部３ｄを構成する山形部３ｅ，３ｅ同士間の凹部に進入し、クリック係合の状態にある。
【００２６】
回り止め部材５は、図２０及び図２２に示すように、円板状に構成された後部大径部５ａと、この後部大径部５ａの中央に前方に向かうように立設されて延びる小径軸体部５ｂと、を備える構成とされている。
【００２７】
後部大径部５ａには、その周面に、周方向に沿って四個等間隔に離間すると共に軸線方向に延びる突条５ｃが、操作筒３のローレット３ｃに回転方向に係合するものとして設けられている。
【００２８】
図２０〜図２２に示すように、小径軸体部５ｂは、非円形の外形を有する構成とされている。具体的には、小径軸体部５ｂは、円柱体の外周面の対向する位置に、先端側に開放されて軸線方向の終端近くまで延びる溝部５ｄを備える横断面非円形形状とされている。この溝部５ｄは、移動体６の回り止め部（回り止め機構）５０の一方を構成する回り止めである。そして、この溝部５ｄの先端近傍の底面には、図２１に示すように、回り止め部５０の他方を構成する移動体６の係止突部６ｄ（詳しくは後述）が前方に抜け出ないように機能すると共に、移動体６の前進に伴い係止突部６ｄに係止されて前進するための係止突部５ｅが設けられている。
【００２９】
この係止突部５ｅは、移動体６の係止突部６ｄが組立時に進入しやすいように、後方に向かって所定の登り勾配で傾斜する傾斜面を前側に有すると共にその突出高さが溝部５ｄの高さ（深さ）より低くされ、且つ、溝部５ｄの係止突部５ｅより後側に進入した移動体６の係止突部６ｄが前側に離脱しないように、係止突部５ｅの後端面は溝部５ｄの底面に対して垂直面とされている。
【００３０】
この回り止め部材５は、図２に示すように、その後部大径部５ａから操作筒３の先端側に内挿されて、その突条５ｃが、操作筒３のローレット３ｃに回転方向に係合することで、操作筒３に同期回転可能且つ軸線方向移動可能に装着されている。そして、図１及び図２に示す初期状態の内容物押出容器１００にあっては、回り止め部材５の後部大径部５ａが操作筒３の底部に当接し後退限に位置している状態にある。
【００３１】
移動体６は、図２３〜図２５に示すように、先端側に鍔部６ａを有する円筒状に構成され、図２に示すように、その全長が、回り止め部材５の小径軸体部５ｂと同じ程度とされている。この移動体６は、図２３〜図２５に示すように、その鍔部６ａより後側から後端部の近傍に亘る外周面に、第一の螺合部（螺合機構）８の一方を構成する雄螺子６ｂを備えている。また、移動体６の鍔部６ａの前側の外周面には、ピストン７を装着するための環状溝部６ｃが形成されている。
【００３２】
この移動体６の後端部の内周面には、図２４、図２５及び図２８に示すように、軸線方向に短尺に延びる係止突部６ｄが対向して一対設けられている。そして、この係止突部６ｄが、前述したように、移動体６の回り止め部（回り止め機構）５０の他方を構成する回り止めとされると共に、移動体６の前進に伴い回り止め部材５の係止突部５ｅを係止して前進するためのもの（抜け止め）とされている。また、図２３〜図２５及び図２８に示すように、移動体６の後端部で係止突部６ｄ，６ｄ間の位置には、内外を連通し後述の係止部材１１を装着するためのスリット６ｅが対向して一対設けられている。
【００３３】
この移動体６は、図２に示すように、その後端側から回り止め部材５の小径軸体部５ｂに外挿され、その係止突部６ｄが回り止め部材５の溝部５ｄに進入して回転方向に係合することで、回り止め部材５に同期回転可能且つ軸線方向移動可能に装着されている。そして、図１及び図２に示す初期状態の内容物押出容器１００にあっては、移動体６の後端面が回り止め部材５の後部大径部５ａの前側の面に当接した状態にある。
【００３４】
係止部材１１は、移動体６の前進時の中間部材１３に対する軸線方向の抜け止めとして機能すると共に、移動体６の雄螺子６ｂの後端リミットを構成するものである。この係止部材１１は、樹脂による射出成形品とされ、図２６〜図２８に示すように、短尺の略円筒状に構成されている。この係止部材１１の内周面の対向する位置には、周方向に延びる円弧状の突条１１ａが、移動体６のスリット６ｅに回転方向及び軸線方向に係合するものとして一対設けられている。また、係止部材１１の突条１１ａを挟む位置には、当該係止部材１１の内外を連通し前方に開放されるスリット１１ｂが設けられている。このスリット１１ｂを設けることで、突条１１ａは、成形材である樹脂の可撓性に従って半径方向にバネを有する板バネとして機能する。
【００３５】
この係止部材１１は、図２、図３及び図２８に示すように、その先端側から移動体６の後端側に外挿され、図３及び図２８に示すように、その突条１１ａが移動体６のスリット６ｅに外側から進入して回転方向及び軸線方向に係合することで、移動体６に同期回転可能且つ軸線方向移動不能に装着されている。すなわち、移動体６と係止部材１１とは一体化されている。移動体６と係止部材１１とを別部品にしている理由は、後述の組立手順で説明する。
【００３６】
なお、この係止部材１１の形状を変更し、移動体６の係止突部６ｄの機能も備える構成（移動体６の回り止め及び回り止め部材５に対する抜け止め）とすることも可能である。また、係止部材１１とは別に、係止突部６ｄの機能を有する係止部材を移動体６に装着するようにしても良い。
【００３７】
ピストン７は、例えばプラスチック等の樹脂より成り、図２９に示すように、先端が閉じられた段付き円筒状を成すと共に、移動体６の先端部を収容する内部形状を備えている。このピストン７は、前半部が、弾性体１２内に挿入される小径円筒部７ａとされ、この小径円筒部７ａに段差面７ｃを介して連設される大径円筒部７ｂが、収容部材１内を摺動する摺動部とされている。
【００３８】
このピストン７の小径円筒部７ａと大径円筒部７ｂとの境界部の内面には、後方に向かって短尺に延びる円筒部７ｄが設けられ、この円筒部７ｄの内周面に、環状突部７ｅが、移動体６の環状溝部６ｃに軸線方向に係合するものとして設けられている。また、ピストン７には、小径円筒部７ａの外周面に、弾性体１２を装着するための環状突部７ｆが設けられると共に、大径円筒部７ｂの外周面に、収容部材１の内周面に密着し水密性を確保するための環状突部７ｇが設けられている。
【００３９】
弾性体１２は、弾性変形し易い例えばシリコンゴム等の軟質弾性材より成形されている。なお、シリコンゴム以外に、ニトリルゴム（ＮＢＲ）、エチレンプロピレンゴム（ＥＰＲ）、ブチルゴム（IIＲ）等の圧縮成形による熱硬化性素材や、ポリウレタン系エラストマー（ＴＰＵ）、ポリオレフィン系エラストマー（ＴＰＯ）、ポリエステル系エラストマー（ＴＰＥＥ）等の射出成形による熱可塑性素材を選択することができる。
【００４０】
この弾性体１２は、図３０に示すように、先端に向けて先細りとされた釣り鐘形状を呈し、後端面から先端側に向けて所定の形状を呈し延びる段付きの凹部１２ａを備えている。そして、この弾性体１２の凹部１２ａの後部側には、環状凹凸部（凹凸部が軸線方向に並ぶもの）１２ｂが、ピストン７の環状突部７ｆに軸線方向に係合するものとして設けられている。
【００４１】
この弾性体１２は、図３１に示すように、その後端側からピストン７の先端側に外挿され、その後端面がピストン７の段差面７ｃに当接し、その環状凹凸部１２ｂの凹部にピストン７の環状突部７ｆが進入して軸線方向に係合することで、ピストン７に相対回転可能且つ軸線方向離脱不能に装着されている。なお、弾性体１２とピストン７とを同期回転可能に構成するようにしても良い。この状態で、弾性体１２内には、凹部１２ａに進入したピストン７により、その前半側に空間１２ｃが画成されている。この空間１２ｃは、弾性体１２の弾性変形を促進するためのものである。
【００４２】
この弾性体１２を装着したピストン７は、図２に示すように、その後端側から移動体６の先端側に外挿され、その環状突部７ｅが移動体６の環状溝部６ｃに軸線方向に係合することで、移動体６に相対回転可能且つ軸線方向離脱不能に装着されている。なお、ピストン７と移動体６とを同期回転可能に構成するようにしても良い。
【００４３】
中間部材１３は、図３２及び図３３に示すように、円筒状に構成され、図２に示すように、その全長が、移動体６の鍔部６ａから後端までの長さと同じ程度とされている。この中間部材１３は、図３２及び図３３に示すように、その先端側の内周面に、第一の螺合部（螺合機構）８の他方を構成する雌螺子１３ａを備えていると共に、その先端近傍から後端近傍に亘る外周面に、第二の螺合部（螺合機構）９の他方を構成する雄螺子１３ｂを備えている。
【００４４】
中間部材１３の雄螺子１３ｂの後端から当該中間部材１３の後端までの円筒部１３ｃは、雄螺子１３ｂより多少大径とされている。そして、この中間部材１３の円筒部１３ｃは、当該中間部材１３の前進時の螺子筒４に対する軸線方向の抜け止めとして機能すると共に、当該中間部材１３の雄螺子１３ｂの後端リミットを構成するものである。
【００４５】
この中間部材１３は、図２に示すように、その先端側から移動体６の後端側に外挿されると共に螺子筒４の後端側に内挿され、その雌螺子１３ａが移動体６の雄螺子６ｂに螺合し、中間部材１３の先端面が移動体６の鍔部６ａの後端面に突き当てられると共に、その雄螺子１３ｂの先端部が螺子筒４の雌螺子４ｃに螺合し、中間部材１３の後端面と回り止め部材５の後部大径部５ａの前側の面との間に多少の隙間が設けられた状態とされている。
【００４６】
このような移動体６の雄螺子６ｂ及び中間部材１３の雌螺子１３ａより構成された第一の螺合部８、螺子筒４の雌螺子４ｃ及び中間部材１３の雄螺子１３ｂより構成された第二の螺合部９にあっては、図３３に示すように、第一の螺合部８のリードと第二の螺合部９のリードが同じとされている。ここで、リードとは、螺子を一回転した時に軸方向に進む距離のことである。
【００４７】
そして、図２に示すように、回り止め部材５の溝部５ｄ及び移動体６の係止突部６ｄより構成された移動体６の回り止め部５０、第一、第二の螺合部８，９を備えた押出機構、螺子筒４、回り止め部材５、移動体６、ピストン７、弾性体１２、中間部材１３が、本体筒２、操作筒３から成る本体側筒体に内蔵され、図３７に示すように、本体側組立品４０が構成されている。
【００４８】
収容部材１は、図１に示すように、内部の収容領域１ｘに内容物Ｌを充填するためのものであると共に、当該内容物Ｌを使用者による操作に従って先端部から吐出するためのものである。この収容部材１の材質は、ポリエチレンテレフタレート（ＰＥＴ）やポリプロピレン（ＰＰ）等の射出成形されたプラスチックであることが好ましく、内容物Ｌの色調や充填状況を確認できるように透明材や内容物Ｌの色を施した着色材を用いるのが好ましい。
【００４９】
この収容部材１は、図３４〜図３６に示すように、円筒形状を成すと共に先端が先細りして閉じられる形状とされ、その先端部の外面１ａが、所定の方向に傾斜する傾斜面とされている。また、この収容部材１の先端部には、図３６に示すように、その外面１ａの裏面に、外面１ａに対して一定の肉厚を隔てて傾斜面とされる内面１ｂが形成されていると共に、当該内面１ｂと外面１ａとを連通する吐出口（容器先端の開口部）１ｃが設けられている。この吐出口１ｃは、図３４に示すように、本実施形態では複数個設けられている。そして、先端部の傾斜する外面１ａが、吐出口１ｃを通して吐出される内容物Ｌを被塗布部に塗布するための塗布部とされている。この塗布部としての外面１ａは、例えば皮膚等の被塗布部等に対する塗布に好適な傾斜面とされている。なお、吐出口１ｃの個数は、一個であっても良い。
【００５０】
また、収容部材１の外周面には、図３２〜図３４に示すように、軸線方向略中央部に、本体筒２の先端側の開放端に突き当てるべく外径が大径とされた鍔部１ｄが設けられると共に、この鍔部１ｄ寄りの前側の位置に、収容部材１の鍔部１ｄより前側を覆うキャップ１０（図１参照）を着脱可能に軸線方向に係止するための突部（所謂ダボ）１ｅが、周方向に沿って三個等間隔に離間して設けられている。
【００５１】
また、収容部材１の外周面には、鍔部１ｄ寄りの後側の位置に、周方向に沿って所定長延びる円弧状の突条が一対対向して設けられ、この突条と当該突条より前側の部分により凹凸部１ｆが一対対向して構成され、本体筒２の環状凸凹部２ｂに軸線方向に係合するものとして設けられている。また、収容部材１の外周面の凹凸部１ｆより後側の位置で周方向の四等配の位置には、軸線方向に延びる突条１ｇが、本体筒２のローレット２ａの前半部に回転方向に係合するものとして設けられている。さらに、図３６に示すように、収容部材１の後端部の内周面には、後側に開放されて短尺に先端側に向かう空気抜き溝１ｉが設けられている。
【００５２】
この収容部材１は、その後端側から本体筒２の先端側に内挿され、図１に示すように、鍔部１ｄの後端面が本体筒２の先端側の開放端に当接し、凹凸部１ｆが、本体筒２の環状凸凹部２ｂに軸線方向に係合すると共に、突条１ｇが、本体筒２のローレット２ａの前半部に回転方向に係合することで、本体筒２に同期回転可能且つ軸線方向離脱不能に装着され、当該本体筒２と一体化されている。この状態で、収容部材１の後端部の内周面に、図２に示すように、ピストン７の環状突部７ｇが当接する配置関係とされている。この収容部材１に対しては、図１に示すように、キャップ１０が着脱可能に装着されている。
【００５３】
そして、このように構成された内容物押出容器１００にあっては、移動体６の最大前進時において、弾性体１２が収容部材１の先端部の傾斜する内面１ｂに押し当てられるように（図１１参照）、寸法、配置等の設定が成されている。
【００５４】
次に、このような構成を有する内容物押出容器１００の組立手順の一例について図３７を参照しながら説明する。先ず、移動体６に中間部材１３を最後まで螺子込み、次いで、係止部材１１を、移動体６と中間部材１３との間の隙間に進入させて移動体６の後端部に装着する（図２８参照）。このとき、係止部材１１は、その突条１１ａが当該突条１１ａを挟むスリット１１ｂにより半径方向外側に撓みながら移動体６のスリット６ｅに進入して回転方向及び軸線方向に係合する。このように移動体６と係止部材１１とを別部品とすることで、移動体６の後側から中間部材１３を螺子込むことが可能である。
【００５５】
次いで、回り止め部材５の溝部５ｄに移動体６の係止突部６ｄを進入させながら移動体６と回り止め部材５とを連結する。このとき、移動体６の係止突部６ｄは、回り止め部材５の溝部５ｄに設けられている係止突部５ｅに当接するが、当該係止突部５ｅの前側の面が傾斜面とされているため、容易に後方へ進入する（図２１参照）。次いで、移動体６及び回り止め部材５が組み付けられた中間部材１３のその先端部を螺子筒４の所定位置まで螺子込み、次いで、移動体６の先端にピストン７を装着し、このピストン７に弾性体１２を装着し、仮組品を得る。
【００５６】
次いで、この仮組品を本体筒２の先端側から内挿し、仮組品を構成する螺子筒４の突条４ａを本体筒２のローレット２ａに回転方向に係合させながら当該螺子筒４を本体筒２に装着し、次いで、この本体筒２の後端側から操作筒３を内挿し、当該操作筒３のローレット３ｃに仮組品を構成する回り止め部材５の突条５ｃを回転方向に係合させながら本体筒２と操作筒３とを連結し、本体側組立品４０が得られる。
【００５７】
一方、収容部材１にあっては、吐出口１ｃをシール１２で塞ぎ逆さにした状態で、収容領域１ｘに所定量の内容物Ｌを満たして収容部材１の先端内に空間が無い状態とする。そして、この内容物Ｌを収容した収容部材１に対して、上方から本体側組立品４０の先端側を外挿し、本体筒２に収容部材１を装着する。
【００５８】
このとき、収容部材１は、その内周面が、図２に示すように、ピストン７の水密性を確保するための環状突部７ｇに摺接しながら、本体筒２に係合される。この係合時にあっては、図３６に示す収容部材１の内周面の空気抜き溝１ｉが、ピストン７の環状突部７ｇを軸線方向に横切るようにして位置するため、当該空気抜き溝１ｉを通して内容物側の空気が後方側へ良好に抜かれる。そして、最後に、シール１２を剥がせば、図１に示す初期状態の内容物押出容器１００が得られる。このシール１２は、使用者（消費者）が購入してから剥がすと衛生的である。
【００５９】
このように構成された内容物押出容器１００によれば、図３７に示すように、内容物Ｌを収容した収容部材１が、本体側組立品４０の先端側に挿入されて装着される構成のため、内容物Ｌを収容部材１に収容後の組み立てが容易であると共に、この内容物Ｌが、収容部材１の先端の内側と本体側組立品４０の弾性体１２との間の収容領域１ｘに十分に（一杯に）満たされた状態とされている。
【００６０】
また、移動体６の回り止めとして機能する回り止め部材５が本体側組立品４０に収容される構成のため、収容部材１及び移動体６を回り止めとして非円形とする必要が無く、従って円形とされていて、収容部材１と本体側組立品４０とを連結する際の回転方向の位置合わせが不要であり、製造が容易とされている。
【００６１】
そして、使用者が使用する場合にあっては、図１に示す初期状態の内容物押出容器１００に対して、使用者によりキャップ１０が取り外されて容器前部（本体筒２；収容部材１でも可）と容器後部（操作筒３）とが一方向である繰り出し方向に相対回転される。
【００６２】
ここで、容器前部と容器後部とが繰り出し方向に相対回転されると、第一の螺合部８の螺合作用が先に作動する場合、第二の螺合部９の螺合作用が先に作動する場合、第一、第二の螺合部８，９の螺合作用が共に作動する場合がある。先ず、第一の螺合部８の螺合作用が先に作動する場合について説明する。
【００６３】
移動体６の雄螺子６ｂ及び中間部材１３の雌螺子１３ａより構成された第一の螺合部８の螺合作用が先に作動すると、操作筒３に同期回転可能に係合する回り止め部材５の溝部５ｄ及び移動体６の係止突部６ｄより構成された移動体６の回り止め部５０との協働により、移動体６が図１に示す初期状態の位置から前進する。
【００６４】
そして、図４に示すように、移動体６が所定量前進し、移動体６に装着され当該移動体６の雄螺子６ｂの後端リミットを構成する係止部材１１が、中間部材１３の雌螺子１３ａの後端に達すると第一の螺合部８の螺合作用が停止する。
【００６５】
続けて容器前部と容器後部とが繰り出し方向へ相対回転されると、第一の螺合部８の螺合作用が停止しているため、第二の螺合部９の螺合作用が働き、回り止め部５０との協働により、図５に示すように、中間部材１３が移動体６を伴い前進する。
【００６６】
続けて容器前部と容器後部とが繰り出し方向へ相対回転され、中間部材１３及び移動体６が所定量前進すると、移動体６の係止突部６ｄが回り止め部材５の係止突部５ｅを軸線方向に係止し、続けて容器前部と容器後部とが繰り出し方向へ相対回転されると、図６に示すように、移動体６の係止突部６ｄと回り止め部材５の係止突部５ｅとの係止により移動体６が回り止め部材５を伴って前進し、移動体６、中間部材１３及び回り止め部材５が前進する。
【００６７】
また、図１に示す初期状態において容器前部と容器後部とが繰り出し方向に相対回転され、螺子筒４の雌螺子４ｃ及び中間部材１３の雄螺子１３ｂより構成された第二の螺合部９の螺合作用が先に作動する場合には、当該第二の螺合部９の螺合作用と回り止め部５０の協働により、図７に示すように、中間部材１３が図１に示す初期状態の位置から移動体６を伴って前進する。
【００６８】
そして、中間部材１３が所定量前進し、当該中間部材１３の雄螺子１３ｂの後端リミットを構成する円筒部１３ｃが、螺子筒４の雌螺子４ｃの後端に達すると第二の螺合部９の螺合作用が停止する。
【００６９】
続けて容器前部と容器後部とが繰り出し方向へ相対回転されると、第二の螺合部９の螺合作用が停止しているため、第一の螺合部８の螺合作用が働き、回り止め部５０との協働により、図８に示すように、移動体６が前進する。
【００７０】
続けて容器前部と容器後部とが繰り出し方向へ相対回転され、移動体６が所定量前進すると、移動体６の係止突部６ｄが回り止め部材５の係止突部５ｅを軸線方向に係止する。
【００７１】
続けて容器前部と容器後部とが繰り出し方向へ相対回転され、移動体６が前進すると、移動体６の係止突部６ｄと回り止め部材５の係止突部５ｅとの係止により、図９に示すように、移動体６が回り止め部材５を伴って前進する。
【００７２】
また、図１に示す初期状態において容器前部と容器後部とが繰り出し方向に相対回転され、第一螺合部８及び第二の螺合部９の螺合作用が共に作動する場合には、当該第一、第二の螺合部８，９の螺合作用と回り止め部５０の協働により、移動体６及び中間部材１３が図１に示す初期状態の位置から前進する。
【００７３】
そして、移動体６及び中間部材１３が所定量前進し、移動体６の係止突部６ｄが回り止め部材５の係止突部５ｅを軸線方向に係止し、続けて容器前部と容器後部とが繰り出し方向へ相対回転されると、移動体６の係止突部６ｄと回り止め部材５の係止突部５ｅとの係止により移動体６が回り止め部材５を伴って前進し、移動体６、中間部材１３及び回り止め部材５が前進する。
【００７４】
ここで、第一の螺合部８の螺合作用が先に作動する場合、第二の螺合部９の螺合作用が先に作動する場合、第一、第二の螺合部８，９の螺合作用が共に作動する場合の何れの場合（以降、螺合作用の作動順序が何れの場合と呼ぶ）であっても、図１に示すように、内容物Ｌが、収容部材１の先端の内側と弾性体１２との間の収容領域１ｘに、十分に満たされた状態とされているため、相対回転を必要以上に繰り返すこと無く迅速に（直ちに）、内容物Ｌが吐出口１ｃから吐出される（図１１参照）。
【００７５】
そして、使用後にあって、容器前部と容器後部とが他方向である繰り戻し方向に相対回転されると、第一の螺合部８の螺合作用が先に作動する場合には、回り止め部５０との協働により、移動体６が後退し、また、繰り戻し方向への相対回転により、第二の螺合部９の螺合作用が先に作動する場合には、回り止め部５０との協働により、中間部材１３が移動体６を伴って後退し、また、繰り戻し方向への相対回転により、第一、第二の螺合部８，９の螺合作用が共に作動する場合には、回り止め部５０との協働により、移動体６及び中間部材１３が後退する。
【００７６】
このように螺合作用の作動順序が何れの場合であっても、移動体６の後退に伴う弾性体１２の後退により、収容部材１の吐出口１ｃから内容物Ｌが収容領域１ｘに吸引されると共に、収容部材１の吐出口１ｃより内側に所定の空間が形成される。従って、収容部材１の先端部の外面１ａに残る内容物Ｌが少なくされて経済的であると共に、収容領域１ｘに収容された内容物Ｌ及び当該内容物Ｌに混入する空気が、温度変化や気圧の変化により膨張しても、上記吐出口１ｃより内側に設けられた所定の空間により、内容物Ｌの吐出口１ｃからの漏出が防止される。
【００７７】
また、上記螺合作用の作動順序が何れの場合であっても、容器前部と容器後部との繰り出し方向／繰り戻し方向への相対回転に従い、螺子筒４のクリック係合部４ｄを構成する突部４ｅが、操作筒３のクリック係合部３ｄを構成する山形部３ｅ，３ｅ同士間の凹部に進入するクリック係合を繰り返すため、使用者には適度なクリック感が与えられ、繰り出し方向／繰り戻し方向への相対回転の度合いや移動体６の移動具合が使用者に感知される。
【００７８】
このため、容器前部と容器後部とが繰り出し方向へ相対回転される場合（移動体６が前進する場合）には、内容物Ｌが適量吐出され、容器前部と容器後部とが繰り戻し方向へ相対回転される場合（移動体６が後退する場合）には、弾性体１２の戻し過ぎが防止され、次回の使用時に内容物Ｌが吐出口１ｃからなかなか出現しないということの防止が図られている。
【００７９】
そして、内容物Ｌが収容領域１ｘに残っている場合には、この内容物Ｌを使用状態とすべく、使用者により再度容器前部と容器後部とが繰り出し方向に相対回転され、以降は上記と同様な動作となり、このような動作が繰り返される。
【００８０】
なお、容器前部と容器後部とが繰り戻し方向に相対回転されて、第一、第二の螺合部８，９の螺合作用が共に停止するまで相対回転されると、移動体６、中間部材１３及び回り止め部材５は、図１に示す初期状態の位置に戻ることになる。
【００８１】
そして、図６に示す状態から、容器前部と容器後部とが繰り出し方向へ相対回転されると、第二の螺合部９の螺合作用により中間部材１３が移動体６を伴い前進し、この移動体６が回り止め部材５を伴って前進し、移動体６、中間部材１３及び回り止め部材５が前進する。続けて容器前部と容器後部とが繰り出し方向へ相対回転されると、図１１及び図１２に示すように、中間部材１３の雄螺子１３ｂの後端リミットを構成する円筒部１３ｃが、螺子筒４の雌螺子４ｃの後端に達し第二の螺合部９の螺合作用が停止して、図１１に示すように、移動体６、中間部材１３及び回り止め部材５が前進限に達する。
【００８２】
また、図９に示す状態から、容器前部と容器後部とが繰り出し方向へ相対回転されると、第一の螺合部８の螺合作用により移動体６が回り止め部材５を伴って前進する。続けて容器前部と容器後部とが繰り出し方向へ相対回転されると、図１１及び図１２に示すように、移動体６に装着され当該移動体６の雄螺子６ｂの後端リミットを構成する係止部材１１が、中間部材１３の雌螺子１３ａの後端に達し第一の螺合部８の螺合作用が停止して、図１１に示すように、移動体６、中間部材１３及び回り止め部材５が前進限に達する。
【００８３】
また、図１０に示す状態から、容器前部と容器後部とが繰り出し方向へ相対回転されると、第一の螺合部８の螺合作用が先に作動する場合には、移動体６が前進し、また、第二の螺合部９の螺合作用が先に作動する場合には、中間部材１３が移動体６を伴って前進し、また、第一、第二の螺合部８，９の螺合作用が共に作動する場合には、移動体６及び中間部材１３が前進する。続けて容器前部と容器後部とが繰り出し方向へ相対回転されると、図１１及び図１２に示すように、移動体６、中間部材１３及び回り止め部材５が前進限に達する。
【００８４】
このように、本実施形態の内容物押出容器１００にあっては、上記螺合作用の作動順序が何れの場合であっても、移動体６、中間部材１３及び回り止め部材５が前進して前進限に達するように構成されている。
【００８５】
そして、上記螺合作用の作動順序が何れの場合であっても、移動体６、中間部材１３及び回り止め部材５が前進限に達すると、図１１に示すように、弾性体１２が収容部材１の先端部の内面１ｂに当接し、当該内面１ｂに倣って弾性変形する。この時、弾性体１２内の空間１２ｃにより当該弾性体１２は一層好適に弾性変形する。そして、このような弾性体１２の弾性変形により、従来のピストンでは押し出せない略ひずめ形（斜円柱状）の空間（容器先端内の傾斜面を含む空間）に残る内容物Ｌが殆ど残り無く十分に押し出されて消費され、内容物Ｌの使い残しが殆ど無く経済的とされている。
【００８６】
なお、本実施形態においては、第一の螺合部８の螺合作用が先に作動し後端リミット１１で停止した後、第二の螺合部９の螺合作用が作動する場合、又は、第二の螺合部９の螺合作用が先に作動し後端リミット１３ｃで停止した後、第一の螺合部８の螺合作用が作動する場合を述べているが、それぞれ後端リミット１１，１３ｃで停止する前に次の螺合部の螺合作用が作動する場合もある。これは螺合部の摩擦抵抗のバランス等で起きる。
【００８７】
以上説明したように、本実施形態の内容物押出容器１００によれば、容器前部と当該容器前部に相対回転可能とされた容器後部とが相対回転されると、第一、第二の螺合部８，９の螺合作用が働き、容器後部及び移動体６と同期回転可能に係合し当該移動体６と軸線方向移動可能に係合する移動体６の回り止めである回り止め部材５との協働により、移動体６が容器前部に対して軸線方向に移動し、この回り止め部材５が容器後部とも軸線方向移動可能に係合し移動体６の軸線方向の移動に従い軸線方向に移動する構成のため、移動体６の移動距離を、移動体の回り止めが軸線方向に移動しない場合に比して延ばすことができ、内容物Ｌの使用量を増やすことが可能となっている（移動体の回り止めが軸線方向に移動しない構成で容器全長が同じものと比すと内容物の収容容量を大きくするのが可能となっている）。
【００８８】
以上、本発明をその実施形態に基づき具体的に説明したが、本発明は上記実施形態に限定されるものではなく、例えば、上記実施形態においては、操作筒３及び螺子筒４が、容器前部と容器後部との相対回転に従いクリック係合するクリック係合部３４（３ｄ，４ｄ）を有する構成としているが、このクリック係合部３４に代えて、ラチェット機構を用いることも可能である。この場合には、クリック係合部３４を構成する山形部３ｅ、突部４ｅを、容器前部と容器後部との繰り戻し方向への相対回転を規制し、容器前部と容器後部との繰り出し方向への相対回転のみを許容する形状のラチェット歯のような構成とすれば良い。
【００８９】
また、上記実施形態においては、収容部材１の先端部の外面１ａを塗布部としているが、収容部材１の先端部（外面）１ａに、例えば発泡ウレタンや微細なネット状材等の多孔質材を設けこれを塗布部としても良く、また、外面１ａに細毛等を設けこれを塗布部としても良く、また、先細のテーパー加工されたポリエステル繊維を束ねて成るブラシを取り付けこれを塗布部としても良く、また、シリコンゴムや熱可塑性エラストマー等の弾性体を塗布部としても良い。また、収容部材１を、二色異材質射出成形機により、基部の透明材料硬質部と、肌に触れる部分を軟質材料の二種異種材料で成形し、使用性の優れたものを採用することができる。
【００９０】
また、上記実施形態においては、内容物Ｌを、例えば、液状や、ゼリー状、ゲル状、ペースト状を含む練り状等の半固体や軟固形状等とした場合に、特に好適な内容物押出容器１００について述べているが、内容物を、例えば、アイライナー、アイブロー、リップライナー、リップスティック等を始めとした種々の棒状化粧料、筆記用具等の棒状の芯等の棒状体とした場合に対しても適用可能である。この場合には、収容部材が例えばパイプのような筒状体とされて当該筒状体内に棒状体が収容され、この棒状体が、容器前部と容器後部との繰り出し方向への相対回転に従い移動体が軸線方向に前進することで押し出されて筒状体先端の開口部から出現することになる。なお、このように内容物を棒状体とした場合には、例えば筒状体内において棒状体と移動体先端のピストンとを気密に接触させる等の構成を採用し、容器前部と容器後部とが繰り戻し方向へ相対回転されると移動体の後退に伴い棒状体が後退する構成とするのが好ましい。
【００９１】
また、上記実施形態においては、移動体６が前進する際に回り止め部材５を軸線方向に確実に係止すべく、係止突部５ｅを設けているが、例えば使用者が容器を逆さにする等して回り止め部材５を自重により移動させたり、摩擦や螺合等により移動させることも可能である。
【００９２】
また、上記実施形態において、雄螺子、雌螺子は、間欠的に配される突起群又は螺旋状且つ間欠的に配される突起群のように螺子山と同様な働きをするものであっても良い。
【図面の簡単な説明】
【００９３】
【図１】本発明の実施形態に係る内容物押出容器の初期状態を示す縦断面図である。
【図２】図１の内容物押出容器の後部側を拡大して示す縦断面図である。
【図３】図２の直交縦断面図である。
【図４】図１に示す状態からキャップが取り外され使用者の繰り出し方向への操作により第一の螺合部の螺合作用が先に働いて移動体が前進した場合の縦断面図である。
【図５】図４に続く状態図であり使用者のさらなる繰り出し方向への操作により第一の螺合部の螺合作用が停止し次いで第二の螺合部の螺合作用が働いて中間部材が移動体を伴い前進した場合の縦断面図である。
【図６】図５に続く状態図であり使用者のさらなる繰り出し方向への操作により第二の螺合部の螺合作用が働いて中間部材が移動体を伴いさらに前進し当該移動体の前進に伴い回り止め部材が前進した場合の縦断面図である。
【図７】図１に示す状態からキャップが取り外され使用者の繰り出し方向への操作により第二の螺合部の螺合作用が先に働いて中間部材が移動体を伴い前進した場合の縦断面図である。
【図８】図７に続く状態図であり使用者のさらなる繰り出し方向への操作により第二の螺合部の螺合作用が停止し次いで第一の螺合部の螺合作用が働いて移動体が前進した場合の縦断面図である。
【図９】図８に続く状態図であり使用者のさらなる繰り出し方向への操作により第一の螺合部の螺合作用が働いて移動体がさらに前進し当該移動体の前進に伴い回り止め部材が前進した場合の縦断面図である。
【図１０】図１に示す状態からキャップが取り外され使用者の繰り出し方向への操作により第一の螺合部及び第二の螺合部の螺合作用が共に働いて移動体及び中間部材が共に前進した場合の縦断面図である。
【図１１】使用者の繰り出し方向への操作により移動体が最大に前進した時の縦断面図である。
【図１２】図１１の内容物押出容器の後部側を拡大して示す縦断面図である。
【図１３】図１〜図１２中の本体筒を示す縦断斜視図である。
【図１４】図１〜図１２中の操作筒を示す斜視図である。
【図１５】図１〜図１２中の操作筒を示す側面図である。
【図１６】図１５に示す操作筒の縦断面図である。
【図１７】図１〜図１２中の螺子筒を示す斜視図である。
【図１８】図１７に示す螺子筒の背面図である。
【図１９】図１８のXIX-XIX矢視図である。
【図２０】図１〜図１２中の回り止め部材を示す斜視図である。
【図２１】図２０に示す回り止め部材の先端部の拡大図である。
【図２２】図１〜図１２中の回り止め部材を示す側面図である。
【図２３】図１〜図１２中の移動体を示す側面図である。
【図２４】図２３のXXIV-XXIV矢視図である。
【図２５】図２３に示す移動体の背面図である。
【図２６】図１〜図１２中の係止部材を示す斜視図である。
【図２７】図２６に示す係止部材の縦断面図である。
【図２８】図１〜図１２中の中間部材、移動体及び係止部材の一部破断分解斜視図である。
【図２９】図１〜図１２中のピストンを示す縦断面図である。
【図３０】図１〜図１２中の弾性体を示す縦断面図である。
【図３１】図２９に示すピストンに図３０に示す弾性体を装着した縦断面図である。
【図３２】図１〜図１２中の中間部材を示す斜視図である。
【図３３】図３２に示す中間部材の縦断面図である。
【図３４】図１〜図１２中の収容部材を示す斜視図である。
【図３５】図１〜図１２中の収容部材を示す側面図である。
【図３６】図３５に示す収容部材の縦断面図である。
【図３７】本発明の実施形態に係る内容物押出容器の組立手順を表す説明図である。
【符号の説明】
【００９４】
１…収容部材（容器前部；前側の容器前部）、１ｃ…吐出口（容器先端の開口部）、２…本体筒（容器前部；後側の容器前部）、３…操作筒（容器後部）、３ｄ…一方のクリック係合部、４…螺子筒、４ｃ…螺子筒の雌螺子（第二の螺合部の一方）、４ｄ…他方のクリック係合部、５…回り止め部材、５ａ…後部大径部、５ｂ…小径軸体部、６…移動体、６ｂ…移動体の雄螺子（第一の螺合部の一方）、８…第一の螺合部、９…第二の螺合部、１１…係止部材、１３…中間部材、１３ａ…中間部材の雌螺子（第一の螺合部の他方）、１３ｂ…中間部材の雄螺子（第二の螺合部の他方）、３４…クリック係合部、４０…本体側組立品、１００…内容物押出容器（容器）、Ｌ…内容物。
【図１】
0004607746.tif 000002
【図２】
0004607746.tif 000003
【図３】
0004607746.tif 000004
【図４】
0004607746.tif 000005
【図５】
0004607746.tif 000006
【図６】
0004607746.tif 000007
【図７】
0004607746.tif 000008
【図８】
0004607746.tif 000009
【図９】
0004607746.tif 000010
【図１０】
0004607746.tif 000011
【図１１】
0004607746.tif 000012
【図１２】
0004607746.tif 000013
【図１３】
0004607746.tif 000014
【図１４】
0004607746.tif 000015
【図１５】
0004607746.tif 000016
【図１６】
0004607746.tif 000017
【図１７】
0004607746.tif 000018
【図１８】
0004607746.tif 000019
【図１９】
0004607746.tif 000020
【図２０】
0004607746.tif 000021
【図２１】
0004607746.tif 000022
【図２２】
0004607746.tif 000023
【図２３】
0004607746.tif 000024
【図２４】
0004607746.tif 000025
【図２５】
0004607746.tif 000026
【図２６】
0004607746.tif 000027
【図２７】
0004607746.tif 000028
【図２８】
0004607746.tif 000029
【図２９】
0004607746.tif 000030
【図３０】
0004607746.tif 000031
【図３１】
0004607746.tif 000032
【図３２】
0004607746.tif 000033
【図３３】
0004607746.tif 000034
【図３４】
0004607746.tif 000035
【図３５】
0004607746.tif 000036
【図３６】
0004607746.tif 000037
【図３７】
0004607746.tif 000038